(57)【要約】【課題】  足首部分をしっかりと保持し、筒部の倒れや筒部の落ち込みを予防できるようにしたブーツ用足首回りシワ防止用パッドおよびブーツを提供することにある。【解決手段】  ブーツ５１を履いている状態で、足首後方の形状とブーツ５１の足首回り部５７との隙間を埋めるべく、背面から見て頂部３および底部５の左右部７、９がそれぞれＲ形形状をしていると共に底辺２７の中央部１７に窪み１９を有した特殊な３次元形状のパッドであることを特徴とする。【選択図】  図２
2005065918.tif 000002
【特許請求の範囲】
【請求項１】
ブーツを履いている状態で、足首後方の形状とブーツの足首回り部との隙間を埋めるべく、背面から見て頂部および底部の左右部がそれぞれＲ形形状をしていると共に底辺の中央部に窪みを有した特殊な３次元形状のパッドであることを特徴とするブーツ用足首回りシワ防止用パッド。
【請求項２】
前記特殊な３次元形状のパッドが、頂部および底部の左右部の中心線を結んだ中心部を最大の厚さとし、しかも、この中心部から各外側へ向けて徐々に薄く形成されていることを特徴とする請求項１記載のブーツ用足首回りシワ防止用パッド。
【請求項３】
前記特殊な３次元形状のパッドが、足首を痛めない素材からなっていることを特徴とする請求項１または２記載のブーツ用足首回りシワ防止用パッド。
【請求項４】
前記素材の足に触れる面に生地または皮革が接合されていることを特徴とする請求項３記載のブーツ用足首回りシワ防止用パッド。
【請求項５】
前記素材のブーツに触れる面に両面接着テープが接合されていることを特徴とする請求項３または４記載のブーツ用足首回りシワ防止用パッド。
【請求項６】
ブーツの足首回り部に、背面から見て頂部および底部の左右部がそれぞれＲ形形状をしていると共に底辺の中央部に窪みを有した特殊な３次元形状のパッドが接合されていることを特徴とするブーツ。
【発明の詳細な説明】
【技術分野】
【０００１】
この発明は、ブーツ用足首回りシワ防止用パッドおよびブーツに関する。
【背景技術】
【０００２】
図８に示した従来の例えば天然皮革あるいは合成皮革からなるブーツ１０１は、靴部１０３と筒部１０５とからなっている。そして、この筒部１０５は、履きやすさや歩きやすさを保つために、靴部１０３よりも柔らかくなっているのが一般的である。
【０００３】
このようにしたブーツ１０１の筒部１０５には通常しっかりした心材が入っていないことが多く、履いていない状態ではその重みで図９に示したように倒れてしまって筒部１０５の先端部１０７が床などに付いてしまい、衛生的でないという問題がある。
【０００４】
また、ブーツ１０１を履きつづけると、足首部分１０９の折り返しが頻繁にくり返されて、筒部１０５が落ち込んでしまって、この足首部分１０９にシワが発生してしまうという問題がある。なお、靴部１０３と筒部１０５の図８において上下方向には足を入りやすくするためのチャック１１１が設けられている。
【０００５】
これらの問題を解消すべく、ブーツ１０１を製造するときに、筒部１０５内の足首部分１０９にしっかりした例えば針金や合成樹脂からなる弾性部材からなる心材を挿入して対策を講じているブーツ１０１もたまにはある。
【特許文献１】実開平５−６３３０２号公報
【発明の開示】
【発明が解決しようとする課題】
【０００６】
ところで、上述した従来の筒部１０５内の足首部分１０９にしっかりした心材を挿入して対策を講じているブーツ１０１では、心材が挿入されていないブーツ１０１の製造よりも当然のことながら製造工程が複雑になるため手間がかかってしまう。しかも、ブーツ１０１を長時間履いていて靴部１０３や筒部１０５よにも先に心材が駄目になってしまうと修復が不可能でブーツ１０１は、心材が挿入されていないブーツ１０１のときと同様の問題が発生する。
【０００７】
この発明は上述の課題を解決するためになされたもので、その目的は、足首部分をしっかりと保持し、筒部の倒れや筒部の落ち込みを予防できるようにしたブーツ用足首回りシワ防止用パッドおよびブーツを提供することにある。
【課題を解決するための手段】
【０００８】
この発明のブーツ用足首回りシワ防止用パッドは、ブーツを履いている状態で、足首後方の形状とブーツの足首回り部との隙間を埋めるべく、背面から見て頂部および底部の左右部がそれぞれＲ形形状をしていると共に底辺の中央部に窪みを有した特殊な３次元形状のパッドであることを特徴とする構成である。
【０００９】
この発明のブーツ用足首回りシワ防止用パッドは、前記ブーツ用足首回りシワ防止用パッドにおいて、前記特殊な３次元形状のパッドが、頂部および底部の左右部の中心線を結んだ中心部を最大の厚さとし、しかも、この中心部から各外側へ向けて徐々に薄く形成されていることを特徴とする構成である。
【００１０】
この発明のブーツ用足首回りシワ防止用パッドは、前記ブーツ用足首回りシワ防止用パッドにおいて、前記特殊な３次元形状のパッドが、足首を痛めない素材からなっていることを特徴とする構成である。
【００１１】
この発明のブーツ用足首回りシワ防止用パッドは、前記ブーツ用足首回りシワ防止用パッドにおいて、前記素材の足に触れる面に生地または皮革が接合されていることを特徴とする構成である。
【００１２】
この発明のブーツ用足首回りシワ防止用パッドは、前記ブーツ用足首回りシワ防止用パッドにおいて、前記素材のブーツに触れる面に両面接着テープが接合されていることを特徴とする構成である。
【００１３】
この発明のブーツは、ブーツの足首回り部に、背面から見て頂部および底部の左右部がそれぞれＲ形形状をしていると共に底辺の中央部に窪みを有した特殊な３次元形状のパッドが接合されていることを特徴とする構成である。
【発明の効果】
【００１４】
以上のごとき課題を解決するための手段によるこの発明によれば、ブーツ内部の足首部分後方にブーツ用足首回りシワ防止用パッドを貼り付けることで、筒部の倒れや筒部の落ち込みを予防し、足首回りのシワの発生を防止することができる。また、ブーツ用足首回りシワ防止用パッドがブーツよりも先に駄目になってしまった場合には、別の新しいものと交換することができる。
【発明を実施するための最良の形態】
【００１５】
以下、この発明の実施の形態について図面を参照して詳細に説明する。
【００１６】
図１〜図６を参照するに、ブーツ用足首回りシワ防止用パッド１は、足首後方の形状とブーツの足首回り部との隙間を埋めるべく、背面から見て頂部３および底部５の左右部７、９がそれぞれＲ形形状部１１、１３、１５をしていると共に底部５辺の中央部１７に窪み１９を有した特殊な３次元形状のパッドである。
【００１７】
すなわち、図２において２等辺３角形２１は長さが等しい辺２３、２５と底辺２７からなり、辺２３、２５をそれぞれ結んだ点を頂点２９とし、また、辺２３と底辺２７をそれぞれ結んだ点を頂点３１とすると共に辺２５と底辺２７をそれぞれ結んだ点を頂点３３とする。そして、前記Ｒ形形状部１１は辺２３、２５にそれぞれ接した曲率半径Ｒ１のＲ形形状からなり、また、前記Ｒ形形状部１３は辺２３、２７にそれぞれ接した曲率半径Ｒ２のＲ形形状からなり、さらに、前記Ｒ形形状部１５は辺２５、２７にそれぞれ接した曲率半径Ｒ３のＲ形形状からなっている。この例では曲率半径Ｒ２とＲ３は等しいものである。頂点２９を挟んだ角度の１／２の直線３５、頂点３１を挟んだ角度の１／２の直線３７、頂点３３を挟んだ角度の１／２の直線３９とが交わった点を中心部４１とすると、図３、図４、図５および図６に示されているように中心部４１から垂直点４３までの厚さを最大厚さＤ１となっていて、この垂直点４３からＲ形形状部１１、１３、１５および各辺２１、２５、窪み１９に向けて徐々に滑らかに薄くなっている。そして、前記最大厚さＤ１は例えば４〜１０ｍｍであり、好ましくは７〜８ｍｍで、また、外側の各最小厚さＤ２は例えば約１ｍｍ程度の厚さとなっている。
【００１８】
このブーツ用足首回りシワ防止用パッド１は、図１に示されいるように足首回りにぴったり合った湾曲された３次元形状を呈しているものである。しかも、ブーツ用足首回りシワ防止用パッド１の素材４５は、足首を痛めない素材からなっていて、具体的にはスポンジ、エラストマーなどからなる弾性部材からなっている。前記素材４５の足に触れる面には生地４７が接合されている。この生地４５は天然繊維、合成繊維などからなる織物、編み物または不織布であったり、人工皮革、天然皮革であっても構わない。前記素材４５のブーツに触れる面には両面接着テープ４９が接合されている。したがって、ブーツ用足首回りシワ防止用パッド１は、素材４５、生地４７および両面接着テープ４９の３層構造からなっているものである。
【００１９】
図７（Ａ）、（Ｂ）に示されているようにブーツ５１は靴部５３と筒部５５とで構成されており、この筒部５５の足首回り部５７に、こうしてできあがった３次元形状をしたブーツ用足首回りシワ防止用パッド１を点線で示した如く、両面テープ４９でもって貼着して接合されて使用される。なお、靴部１０３と筒部１０５の図７（Ａ）、（Ｂ）において上下方向には足を入りやすくするためのチャック５９が設けられている。また、靴部５３の後部下部にはヒール６１が接合されている。
【００２０】
したがって、ブーツ５１内部の足首回り部５７の後方にブーツ用足首回りシワ防止用パッド１を両面テープ４９により貼り付けることで、図７（Ａ）、（Ｂ）に示したように倒れないように保持できるから、筒部５５の倒れや筒部５５の落ち込みを予防し、足首回り部５７のシワの発生を防止することができると共にシワによる靴ズレを防止することができる。さらに、ブーツ用足首回りシワ防止用パッド１がブーツ５１よりも先に駄目になってしまった場合には、別の新しいものと交換することができる。
【００２１】
なお、この発明は前述した実施の形態に限定されることなく、適宜な変更を行うことによりその他の態様で実施し得るものである。
【図面の簡単な説明】
【００２２】
【図１】この発明のブーツ用足首回りシワ防止用パッドの斜視図である。
【図２】図１におけるＩＩ矢視図である。
【図３】図２におけるＩＩＩ−ＩＩＩ線に沿った断面図である。
【図４】図２におけるＩＶ−ＩＶ線に沿った断面図である。
【図５】図２におけるＶ矢視図である。
【図６】図２におけるＶＩ矢視図である。
【図７】（Ａ）、（Ｂ）はこの発明のブーツの裏側から角度を変えてとらえた斜視図である。
【図８】従来のブーツの側面から捉えた斜視図である。
【図９】従来のブーツの筒部が倒れた状態を示した斜視図である。
【符号の説明】
【００２３】
１  ブーツ用足首回りシワ防止用パッド
３  頂部
５  底部
７  左部
９  右部
１１、１３、１５  Ｒ形形状部
１７  中央部
１９  窪み
２１  ２等辺３角形
２３、２５  辺
２７  底辺
２９、３１、３３  頂点
３５、３７、３９  直線
４１  中心点
４３  垂直点
４５  素材
４７  生地
４９  両面テープ
５１  ブーツ
５３  靴部
５５  筒部
５７  足首回り部
５９  チャック
６１  ヒール
【図１】
2005065918.tif 000003
【図２】
2005065918.tif 000004
【図３】
2005065918.tif 000005
【図４】
2005065918.tif 000006
【図５】
2005065918.tif 000007
【図６】
2005065918.tif 000008
【図７】
2005065918.tif 000009
【図８】
2005065918.tif 000010
【図９】
2005065918.tif 000011